(57)【要約】【課題】欠陥検出性能の正常、異常を判断することが可能な内面検査装置および基準ピースを提供することを目的とする。【解決手段】試験体５０１が軸心方向に貫通する主貫通孔５０２を有し、主貫通孔５０２の軸心周りの試験用内面５０３に囲まれた内空間５０４が基準内径寸法の形状をなし、試験体５０１は主貫通孔５０２の軸心周りの周壁５０５に少なくとも１つの擬似欠陥ピン５０７を着脱可能に備え、擬似欠陥ピン５０７は内空間５０４に臨む面が擬似欠陥形成面５０８をなす。【選択図】図１
2014190885.tif 000002
【特許請求の範囲】
【請求項１】
試験体が軸心方向に貫通する主貫通孔を有し、主貫通孔の軸心周りの試験用内面に囲まれた内空間が基準内径寸法の形状をなし、試験体は主貫通孔の軸心周りの周壁に少なくとも１つの擬似欠陥部を着脱可能に備え、擬似欠陥部は内空間に臨む面が擬似欠陥形成面をなすことを特徴とする内面検査装置の基準ピース。
【請求項２】
対象物の内空間に面する対象物内面を対象物の内空間への進退方向に沿って撮影するものであって、
光源光を出射する光源部を有し、光源部から出射した光源光を対象物内面に向けて放射状の照射光にして照射する照射部と、照射光で照らされた対象物内面の光切断面を出退方向に沿って連続的に撮影する撮影装置を有する撮影部とを有する撮影ユニットと、
撮影ユニットを支持して対象物の内空間に相対的に進退するランス部と、
撮影ユニットおよびランス部を対象物の内空間に相対的に進退させる搬送駆動装置と、
内空間にランス部が相対的に進退する請求項１に記載の基準ピースを備えることを特徴とする内面検査装置。
【請求項３】
基準ピースはランス部の相対的な進退経路上で対象物の前方に主貫通孔の軸心と対象物の内空間の軸心とを同心状に位置させて配置し、撮影ユニットが基準ピースを通して対象物の内空間に進退することを特徴とする請求項２に記載の内面検査装置。
【請求項４】
撮影ユニットおよびランス部が基準ピースおよび対象物の内空間に相対的に進退することが可能か否かを判断する異常判定部を備え、
異常判定部は、撮影部が基準ピースの主貫通孔の入口に臨んで試験用内面の光切断面を撮影した取得全画像において、取得全画像の中心となる撮影中心座標と取得全画像中に映る光切断面画像の中心となる主貫通孔の中心座標との座標の偏差から主貫通孔および対象物の内空間の中心軸と撮影ユニットの基準軸との軸ずれ量を求め、軸ずれ量に基づいて異常の有無を判断することを特徴とする請求項３に記載の内面検査装置。
【発明の詳細な説明】
【技術分野】
【０００１】
本発明は内面検査装置および基準ピースに関し、物体の穴の内面、パイプの内面等を撮影する技術に係るものである。
【背景技術】
【０００２】
従来、この種の撮影装置には、例えば図９に示す原理のものがある。これは、リングビームデバイスと呼ばれるものであり、レーザ照射部１の半導体レーザから円状のレーザ光２を円錐ミラー３に照射し、円錐ミラー３に入射したレーザ光２がその入射光軸に対して直角方向に反射し、光跡が３６０°に広がるディスク状の光４が形成される。レーザ照射部１と円錐ミラー３は透明円筒体５で一体化している。
【０００３】
このディスク状の光４を物体の対象物内面に照射すると、対象物内面がリング状に照らされて、リング状の光切断面が照らし出される。この光切断面として映る光の輪は、図１０に示すように、対象物内面の断面輪郭を表す１本のリング状光６となる。以下においては対象物内面の断面輪郭を示す用語として光切断面を使用する。
【０００４】
このリング状光６をレーザ照射部１の後方に位置する撮影部のカメラ（図示省略）で撮影することにより対象物内面の輪郭形状情報を得ることができる。
レーザ照射部１とその後方に位置する撮影部は一体のものとして管等の対象物の内部に挿入する必要があるので、レーザ照射部１と撮影部とを一体的に備えた撮影ユニットが長尺なランスで支持されている。
【０００５】
特許文献１に記載する光学装置では、光源からの測定用光がレンズ系を介してコーンミラーの反射部によって反射され、光遮蔽部材の開口を介して、幅広で放射状の欠陥測定用光として測定対象側に出力される。コーンミラーの貫通穴を通過した測定用光は、コーンミラーの頂部周辺の反射部によって反射され、光遮蔽部材の開口を介して、幅狭で放射状の長さ特性測定用光として測定対象側に出力される。測定対象で反射した欠陥測定用光と長さ特性測定用光は、各々、測定部によって検出され、演算制御部によって測定対象の欠陥の有無判別や形状算出等が行われる。
【０００６】
また、特許文献２には、異なる方向から撮影した被検体の画像を合成する際に、撮影手段の設置角度による誤差の影響を排除して、精度の高い合成画像を作成する方法が記載されている。
【先行技術文献】
【特許文献】
【０００７】
【特許文献１】特開２００９−２５００６
【特許文献２】特開２００９−２５０７４０
【発明の概要】
【発明が解決しようとする課題】
【０００８】
ところで、図９に示すような内面検査装置では、経時変化に伴う部品の劣化等の原因によって検査装置に異常が発生することがある。この原因としては、レーザ照射部の光源である半導体レーザの劣化、撮影部におけるカメラレンズのピントや絞りのずれ、あるいは装置を保護するための保護ガラスの汚れ等がある。
【０００９】
このような原因によって、対象物の内面が正常な状態であっても欠陥があるかのように誤って検出する誤検知や、あるいは対象物の内面に欠陥がある場合でもその存在を検出することができない未検出が発生する。
【００１０】
しかしながら、図９に示すような内面検査装置では、誤検知や未検出の発生を認知することが困難であり、当然にその原因を判別することもできない。このために、製品不良の事象が発生しても、不良製品の検知やその発生の原因の究明が遅れることになり、結果として不良品が多発することになる。
【００１１】
本発明は上記した課題を解決するものであり、欠陥検出性能の正常、異常を判断することが可能な内面検査装置および基準ピースを提供することを目的とする。
【課題を解決するための手段】
【００１２】
上記課題を解決するために、本発明の内面検査装置の基準ピースは、試験体が軸心方向に貫通する主貫通孔を有し、主貫通孔の軸心周りの試験用内面に囲まれた内空間が基準内径寸法の形状をなし、試験体は主貫通孔の軸心周りの周壁に少なくとも１つの擬似欠陥部を着脱可能に備え、擬似欠陥部は内空間に臨む面が擬似欠陥形成面をなすことを特徴とする。
【００１３】
本発明の内面検査装置は、対象物の内空間に面する対象物内面を対象物の内空間への進退方向に沿って撮影するものであって、光源光を出射する光源部を有し、光源部から出射した光源光を対象物内面に向けて放射状の照射光にして照射する照射部と、照射光で照らされた対象物内面の光切断面を出退方向に沿って連続的に撮影する撮影装置を有する撮影部とを有する撮影ユニットと、撮影ユニットを支持して対象物の内空間に相対的に進退するランス部と、撮影ユニットおよびランス部を対象物の内空間に相対的に進退させる搬送駆動装置と、内空間にランス部が相対的に進退する請求項１に記載の基準ピースを備えることを特徴とする。
【００１４】
本発明の内面検査装置において、基準ピースはランス部の相対的な進退経路上で対象物の前方に主貫通孔の軸心と対象物の内空間の軸心とを同心状に位置させて配置し、撮影ユニットが基準ピースを通して対象物の内空間に進退することを特徴とする。
【００１５】
本発明の内面検査装置において、撮影ユニットおよびランス部が基準ピースおよび対象物の内空間に相対的に進退することが可能か否かを判断する異常判定部を備え、異常判定部は、撮影部が基準ピースの主貫通孔の入口に臨んで試験用内面の光切断面を撮影した取得全画像において、取得全画像の中心となる撮影中心座標と取得全画像中に映る光切断面画像の中心となる主貫通孔の中心座標との座標の偏差から主貫通孔および対象物の内空間の中心軸と撮影ユニットの基準軸との軸ずれ量を求め、軸ずれ量に基づいて異常の有無を判断することを特徴とする。
【発明の効果】
【００１６】
以上のように本発明によれば、基準ピースの試験体は、試験用内面に囲まれた内空間が基準内径寸法の形状をなし、周壁に擬似欠陥部を着脱可能に備えるので、擬似欠陥部を取り替えて擬似欠陥部の擬似欠陥形成面に種々の欠陥形状を形成することにより、検査の対象物に欠陥が発生した状態と同様の事象を模擬的に創り出すことができる。このため、対象物を検査する場合と同条件下において装置の欠陥検出精度等の各種性能を把握できる。
【００１７】
擬似欠陥部には任意の欠陥形状が形成できるので、実際の欠陥形状の程度と欠陥検出精度との相関を求めることで、欠陥検出結果の判定基準を擬似欠陥部に形成する欠陥形状で検証しながら確定することができる。また、擬似欠陥部に形成した欠陥形状が正しく検知されるか否かを検証することで、内面検査装置の欠陥検出性能を正しく評価できる。
【図面の簡単な説明】
【００１８】
【図１】本発明の実施の形態における基準ピースを示し、（ａ）は上面図、（ｂ）は断面図
【図２】同実施の形態における各種の擬似欠陥ピンを示す正面図
【図３】（ａ）は、同内面検査装置の基準ピースを用いた検査工程を示す模式図であり、（ｂ）は、同内面検査装置の基準ピースと対象物の管を同時に検査する検査工程を示す模式図
【図４】同内面検査装置の基準ピースを用いた凹欠陥検出処理のフローチャート
【図５】本発明の実施の形態における内面検査装置を示す断面図であり、（ａ）は内面検査装置の撮影ユニットが管状製品と干渉する状態を示す図、（ｂ）は内面検査装置の撮影ユニットが管状製品に正常に挿入された状態を示す図
【図６】同内面検査装置の検査工程を示す模式図
【図７】同内面検査装置の検査工程を示す模式図
【図８】同内面検査装置による取得全画像を示す模式図
【図９】従来の構成を示す模式図
【図１０】正常なリング状光を示す模式図
【発明を実施するための形態】
【００１９】
以下、本発明の実施の形態を図面に基づいて説明する。図１から図７において、内面検査装置は、対象物、例えば管１００の内空間である中空部の孔１０１に対して進退し、対象物の内空間に面する対象物内面、ここでは管内面を管軸心に沿った進退方向に沿って撮影するものであり、その主要な構成部として照射部１０と撮影部２０とランス部３０と異常判定部４０と搬送駆動装置５０を備えている。
【００２０】
本実施の形態では管１００は一端に受口１０２を有し、他端が挿口をなすが、本発明の対象物は本実施の形態に係る管１００に限定するものではなく、管１００が受口１０２のない直胴型であってもよく、管１００以外のものであっても良い。
【００２１】
照射部１０は光源光を対象物内面である管内面に向けて放射状の照射光にして照射するもので、支持ホルダ１１の光源部１２に格納した半導体レーザが光源光としてレーザ光を出射する。光源部１２の前方には透明ガラスの円筒体からなる反射部１３が配置されており、反射部１３は内部に円錐ミラーを収納している。円錐ミラーは半導体レーザが出射したレーザ光をその入射光軸に対して直角方向に反射し、光跡が３６０°に放射状に広がるディスク状の照射光とする。
【００２２】
連結部１４は、照射部１０と撮影部２０を連結するもので、樹脂もしくは金属のパイプ体からなり、照射部１０を支持するのに必要な十分な強度を有している。
撮影部２０は、照射光で照らされた対象物内面の光切断面（レーザリング）を進退方向に沿って連続的に撮影するものであり、接続部２１と撮影装置をなすレンズ部２２とカメラ部２３からなる。接続部２１は後端側でレンズ部２２のフード２４に螺合接続し、前端側にフランジ２５を有している。
【００２３】
フランジ２５には撮影部２０の撮影視野内に配置される透明保護材２６が連結されており、透明保護材２６がレンズ部２２の前方を覆っている。この透明保護材２６はガラス材質であり、本実施の形態では板状ガラスからなる。
【００２４】
レンズ部２２はフード２４およびフード２４に接続したカメラレンズ２７からなる。カメラ部２３はカメラレンズ２７に接続する撮影装置としてのカメラ２８からなる。
撮影部２０には衝突防止フランジ２９を設けている。衝突防止フランジ２９は、撮影ユニットの外径よりも一回り大きな外径を有しており、管内面を傷つけない材質からなり、管の内径のバラツキに起因して管内面と撮影ユニットが接触するおそれがある場合にあっても、衝突防止フランジ２９の外周縁が管内面に当接する状態で撮影ユニットを管内面から離間した状態に保持する。
【００２５】
照射部１０と撮影部２０からなる撮影ユニットはランス部３０の挿入用ランス３１の先端に設けてあり、挿入用ランス３１が先端側に撮影ユニットを支持して管１００の内空間に相対的に進退する。
【００２６】
ランス部３０は挿入用ランス３１の基端側を保持するランス支持台３２を備えており、ランス支持台３２は昇降部３３で挿入用ランス３１を支持し、昇降部３３の昇降により挿入用ランス３１の上下方向の位置を調整可能である。ランス部３０はランス延長パイプ３４を介して撮影部２０に接続している。
【００２７】
異常判定部４０は、画像処理装置（図示省略）にプログラム等によって構成された機能部で、検査結果に基づいて異常の有無を判断するものである。詳しくは、後述する。
搬送駆動部５０は管台車５１と管台車５１の走行を制御する台車制御装置５２を有している。管台車５１は支持ローラ５３を介して管１００を支持している。管台車５１は、管１００の搬送ライン６０との間において管１００を受け渡す退避ステーション５４と、管１００の孔１０１に撮影部２０および挿入用ランス３１が挿入される検査ステーション５５との間にわたって進退する。
【００２８】
図１および図２に示すように、内面検査装置の基準ピース５００は、試験体５０１が検査の対象物である管１００の基準内径寸法と同じ寸法で製作した直管パイプ部品である。試験体５０１は軸心方向に貫通する主貫通孔５０２を有しており、主貫通孔５０２の軸心周りの試験用内面５０３に囲まれた内空間５０４が基準内径寸法の形状をなし、試験用内面５０３は軸心方向に平坦で、均一な面をなし、軸心方向に曲がりや反りのない均一な内径を有している。試験用内面５０３は対象物の管１００と同色で塗装してあり、その光反射率を等しくしてある。
【００２９】
試験体５０１は主貫通孔５０２の軸心周りの周壁５０５に複数の開口部５０６を有しており、各開口部５０６に擬似欠陥ピン５０７を着脱可能に備えている。
図２に示すように、擬似欠陥ピン５０７は、フランジ部５０７ａと開口部５０６に挿入する胴部５０７ｂからなり、胴部５０７ｂの内空間５０４に臨む面が擬似欠陥形成面５０８をなし、試験体５０１の試験用内面５０３に沿った形状をなす。
図２（ａ）に示すように、擬似欠陥形成面５０８が基準内径寸法に応じた湾曲面をなす正常であるものや、図２（ｂ）に示すように、擬似欠陥形成面５０８に不良品となる大きな凹部の欠陥５０９を形成したものや、図２（ｃ）に示すように、擬似欠陥形成面５０８に修繕可能な小さな凹部の欠陥５０９を形成したものなど種々のものを用意する。欠陥５０９は凹欠陥のみならず凸欠陥であっても良い。
【００３０】
図３（ａ）に示すように、基準ピース５００は、内空間５０４にランス部３０が相対的に進退するように、ランス部３０の相対的な進退経路上に配置する。この場合に、基準ピース５００は、管台車５１に設置した架台等によって支持し、ランス部３０の相対的な進退経路上の位置と進退経路から外れた位置とにわたって移動可能に設ける。
【００３１】
あるいは、図３（ｂ）に示すように、基準ピース５００は、ランス部３０の相対的な進退経路上で対象物の管１００の前方に固定配置し、撮影ユニットが基準ピース５００を通して対象物の管１００の孔１０１に進退可能に設ける。
【００３２】
以下、上記した構成の作用を説明する。
（基本動作）
図７（ａ）に示すように、台車制御装置５２は退避ステーション５４において搬送ライン６０から管１００を管台車５１の上に受け取り、その後に図７（ｂ）に示すように、管台車５１を検査ステーション５５に移動させる。管台車５１が検査ステーション５５へ移動する際に、撮影ユニットの照射部１０、撮影部２０が挿入用ランス３１とともに管１００の孔１０１に挿入される。
【００３３】
そして、挿入用ランス３１を管１００に挿入しながら、あるいは挿入用ランス３１を管１００から引き出しながら対象物内面である管内面を撮影部２０で撮影する。
（撮影動作）
照射部１０では、支持ホルダ１１の内部に格納した光源部１２の半導体レーザが光源光としてレーザ光を反射部１３の円錐ミラーに向けて出射する。反射部１３の円錐ミラーは半導体レーザが出射したレーザ光をその入射光軸に対して直角方向に反射し、光跡が３６０°に放射状に広がるディスク状の照射光にして対象物内面である管内面に向けて照射する。このディスク状の光を対象物内面に照射すると、対象物内面がリング状に照らされて、リング状の光切断面が照らし出される。この光切断面として映る光の輪は、対象物内面の断面輪郭を表す１本のリング状光、すなわちレーザリングとなる。このレーザリングを撮影部２０のカメラ２８で撮影することにより対象物内面の輪郭形状情報を得る。
（管内面検査）
管１００の内面の欠陥を検査する工程では、上述撮影動作によって対象物の管１００の管内面をランス部３０の進退方向に沿って撮影する。管内面を移動しながら撮影した画像を二値化し、得られたレーザリング画像の欠損や歪みから、異常判定部４０が管内面の凹部等の欠陥の有無を判定する。
（欠陥検出性能確認）
基準ピース５００の各開口部５０６に種々の擬似欠陥ピン５０７を装着する。図３（ａ）に示すように、基準ピース５００をランス部３０の進退経路上に位置するように単独で配置し、管台車５１を走行させて基準ピース５００の主貫通孔５０２に撮影ユニットを挿入しつつ、上述した管内面検査工程と同様にして基準ピース５００の試験用内面５０３を検査し、異常判定部４０において欠陥の有無を判定する。
【００３４】
この判定において、擬似欠陥ピン５０７に形成した欠陥５０９が正しく検知されるか否かを検証することで、あるいは擬似欠陥形成面５０８が正常である擬似欠陥ピン５０７を正常であると検知するか否かを検証することにより、内面検査装置の欠陥検出性能を正しく評価できる。すなわち、欠陥５０９を検出した場合には欠陥検出性能が正常であると判断し、基準ピース５００を退避させて通常の管内面検査工程を実施し、管内面検査で異常を検知した場合には製品不良と判断する。また、欠陥５０９を検出できない場合には欠陥検出性能が異常であると判断し、経時変化等の原因を検討し、メンテナンスを実施する。
【００３５】
また、図３（ｂ）に示すようにして基準ピース５００を運用することも可能である。この場合には、基準ピース５００をランス部３０の相対的な進退経路上で対象物の管１００の前方に固定配置し、撮影ユニットが基準ピース５００を通して対象物の管１００の孔１０１に進退可能に設ける。
【００３６】
次ぎに、管台車５１を走行させて基準ピース５００の主貫通孔５０２に撮影ユニットを挿入しつつ、上述した管内面検査工程と同様にして基準ピース５００の試験用内面５０３を検査し、続いて管１００の孔１０１に撮影ユニットを挿入しつつ、管内面検査工程を行なう。
【００３７】
そして、異常判定部４０において欠陥の有無を判定する。この場合に、基準ピース５００で行なう欠陥検出性能の評価と管内面検査の結果を同時に得る。そして、基準ピース５００で行なう欠陥検出性能の評価が正常である場合には管内面検査の結果が信頼できると判断する。基準ピース５００で行なう欠陥検出性能の評価が異常である場合には欠陥検出性能が低下していると判断し、管内面検査の結果が信頼できないと判断する。この欠陥検出性能が低下していると判断される状況が繰り返し発生する場合には、管内面検査の結果が無効であると判断し、あるいは装置異常と判断する。
【００３８】
図４に、対象物の管１００に対して管内面検査を連続して行う際の基準ピースの凹欠陥検出の判定結果と、その判定結果に基づくデータの取り扱い、および装置状態の検知方法の例を示す。
【００３９】
例えば、図４（ａ）に示すように、基準ピース５００の欠陥が未検出の頻度が少ない場合には、基準ピース５００の欠陥が未検出の場合に検査無効と通知する。基準ピースの欠陥を検出できない未検出の頻度が低い場合は、撮影ユニットの照明部１０の照射面や撮影部２０の撮影面に一時的に塵埃などが付着し、一時的に検査性能が低下する等が考えられ、検査はそのまま継続する。
【００４０】
図４（ｂ）に示すように、基準ピース５００の欠陥が未検出の頻度が大きい場合、すなわち単位ロット中の半数以上の検査において基準ピース５００の欠陥が未検出の場合には、基準ピース５００の欠陥が未検出の場合に検査無効と通知するとともに、装置の異常を警告する。図４（ｃ）に示すように、基準ピース５００の欠陥が未検出の頻度が異常に大きい場合、すなわち単位ロット中の全数の検査において基準ピース５００の欠陥が未検出の場合には、装置の異常を警告するとともに、メンテナンスの実施を要求する。
【００４１】
上述したように、基準ピース５００の試験体５０１は、試験用内面５０３に囲まれた内空間５０４が基準内径寸法の形状をなし、周壁５０５に擬似欠陥部を着脱可能に備えるので、擬似欠陥ピン５０７を取り替えて擬似欠陥ピン５０７の擬似欠陥形成面５０８に種々の欠陥形状の欠陥５０９を形成することにより、検査の対象物の管１００に欠陥が発生した状態と同様の事象を模擬的に創り出すことができる。このため、対象物の管１００を検査する場合と同条件下において装置の欠陥検出精度等の各種性能を把握できる。
【００４２】
擬似欠陥ピン５０７には任意の欠陥形状が形成できるので、実際の欠陥形状の程度と欠陥検出精度との相関を求めることで、欠陥検出結果の判定基準を擬似欠陥部に形成する欠陥形状で検証しながら確定することができる。
【００４３】
また、基準ピース５００の試験用内面５０３は対象物の管１００と同色で塗装してあり、その光反射率を等しくしてある。このため、撮影ユニットから試験用内面５０３に照射され、撮影ユニットで撮影されたレーザリングのレーザ線幅の円周分布、あるいはレーザリングの直径と基準ピース５００の内径との比較から、検査性能の低下も検出可能である。
【００４４】
例えば、基準ピース５００の擬似欠陥を正常に検出した場合であっても、レーザリングの幅が全体に亘って規定幅から外れる、あるいは画像から得た直径に誤差が生じている場合は、レーザの出力の低下や撮影部のピントのずれなどが生じている可能性があるとして、擬似欠陥未検出時と同じくその検査データを無効としてもよい。また、レーザリングの一部の線分の幅が細い場合、あるいは線分が途切れている場合は、塵埃等の付着などが考えられ、正確な欠陥検出ができない可能性があるため、擬似欠陥未検出時と同じくその検査データを無効としてもよい。
（軸ずれ検査）
上述した基本動作において、図５（ａ）に示すように、撮影部２０の例えば接続部２１と管１００の直管部の端部が干渉すると、それ以上にランス部３０を挿入することが困難となる。図５（ｂ）は、撮影部２０を支持する挿入用ランス３１が管１００に正常に挿入された状態を示す。
【００４５】
基準ピース５００は、搬送駆動装置５０の管台車５１に固定配置されるが、ランス高さ位置のバラツキや検査本数の増加に伴なう管台車５１の車輪やレールの摩耗等によって、撮影ユニットが基準ピース５００との軸にずれが生じ、撮影ユニットが基準ピース５００に衝突し破損する可能性があるため、基準ピース５００に対する軸ずれ検査を行う。
【００４６】
図８（ａ）に示すように、撮影部２０が基準ピース５００の主貫通孔５０２の入口に臨む位置に撮影ユニットを配置する。この状態において、撮影ユニットの撮影部２０は基準ピース５００の外に位置し、先端側の照射部１０が基準ピース５００の主貫通孔５０２の中に位置する。
【００４７】
次に、撮影ユニットの照射部１０の光源部１２から出射した光源光を反射部１３で反射させて放射状の照射光にして基準ピース５００の内面である主貫通孔５０２の管内面に向けて照射し、照射光で照らされた管内面の光切断面(レーザリング)を撮影部２０のカメラ部２３で撮影する。撮影部２０は、対象物の管内面の光切断面(レーザリング)を撮影する。次ぎに、図８（ｂ）に示すように、撮影部２０が撮影した取得全画像Ｐ０において、取得全画像Ｐ０の中心となる撮影中心座標（Ｘ１，Ｙ１）と取得全画像中に映る光切断面画像Ｐ１の中心となる対象物中心座標（Ｘ０，Ｙ０）との座標の偏差から基準ピース５００の軸心と撮影ユニットおよびランス部の基準軸との軸ずれ量を求め、軸ずれ量に基づいて異常の有無を判断する。
【００４８】
ここで、取得全画像ＰＯの中心となる撮影中心座標（Ｘ１，Ｙ１）はカメラ部２３およびレンズ部２２の中心に一致するが、撮影ユニットおよびランス部の基準軸は必ずしも撮影中心座（Ｘ１，Ｙ１）と一致する必要はなく、基準軸と撮影中心座標（Ｘ１，Ｙ１）とが一定距離の位置関係を有していれば良い。
【００４９】
異常判定部４０は、求めた軸ずれ量が許容範囲内、すなわち正常範囲内であるときに、搬送駆動装置５０により撮影部２０およびランス部３０を対象物である基準ピース５００の主貫通孔５０２に相対的に進入させることを許可する許可信号を台車制御装置５２に出し、軸ずれ量が許容範囲を超えるとき、すなわち正常範囲外であるときに、搬送駆動装置５０により撮影部２０およびランス部３０を基準ピース５００の主貫通孔５０２に相対的に進入させることを禁止する禁止信号を台車制御装置５２に出す。
【００５０】
このように、撮影ユニットの撮影部２０が基準ピース５００の外に位置し、先端側の照射部10のみ基準ピース５００の主貫通孔５０２の中に位置する状態、すなわち基準ピース５００と撮影ユニットの衝突の可能性が低い状態で、撮影ユニットの挿入可否判断を行なえるので、衝突による撮影ユニットの損傷を未然に防止できる。
【００５１】
また、基準ピース５００は直管で形成されており、対象物の管１００のように管の撓みや内径変動を考慮する必要がないため、基準ピース５００の軸心と撮影ユニットおよびランス部の基準軸との軸ずれ量を正確に求めることができる。
【００５２】
上述の図３（ｂ）に示すように対象物の管１００の前方に基準ピース５００を配置する場合においては、例えば管１００を支持する支持ローラ５３の摩耗などにより、基準ピース５００と管１００の軸ずれが生じている可能性がある。このため、基準ピース５００との軸ずれ検査と同様に、管１００に対しても軸ずれ検査を実施する。
【００５３】
この場合、撮影ユニットの先端側の照射部１０が管１００の孔１０１の直管部の中に位置し、撮影部２０が直管部の外側に位置する際の管内面の光切断面(レーザリング)の取得画像から、撮影ユニットと管１００との軸ずれ量を求め、軸ずれ量に基づいて異常の有無を判断する。
【００５４】
図３（ｂ）の構成にあっては、撮影ユニットと基準ピース５００に対する軸ずれ量が正常範内であっても、撮影ユニットと管１００との軸ずれ検査が正常範囲外であれば、搬送駆動装置５０により撮影部２０およびランス部３０を対象物である管１００の孔１０１に相対的に進入させることを禁止する禁止信号を台車制御装置５２に出す。
【００５５】
このように、管１００と撮影ユニットの衝突の可能性が低い状態で、撮影ユニットの挿入可否判断を行なえるので、衝突による撮影ユニットの損傷を未然に防止できる。
また、基準ピース５００と管１００の軸ずれ量から、軸ずれの原因となる場所の絞り込みが行いやすくなる。すなわち、基準ピース５００撮影ユニットの軸ずれ量が大きい場合は、基準ピース５００の固定装置あるいはランス部３０が位置ずれを起こしている可能性が高いと推測できる。管１００と撮影ユニットの軸ずれ量が大きい場合は、管１００の支持装置が位置ズレを起こしている可能性が高いと推測できる。このように、軸ずれの要因を素早く特定することができるので、検査再開までの時間を短縮でき、生産への影響を低くすることが可能となる。
（その他の実施の形態）
上述の実施の形態では、検査対象物の管１００を載せた管台車５１が退避ステーション５４と検査ステーション５５との間にわたって進退することで、管１００の孔１０１に撮影ユニットおよび挿入用ランス３１が挿入され、管１００の内面を検査する構成を示した。しかし、検査対象物と撮影ユニットを相対的に移動させるものであればこの構成に限るものではない。例えば、検査対象物の管１００が静止している状態で、撮影ユニットおよび挿入用ランス３１を支持し移動させる移動手段により、撮影ユニットおよび挿入用ランス３１を管１００の孔１０１に進退可能とする構成であっても良い。
【符号の説明】
【００５６】
１０  照射部
１１  支持ホルダ
１２  光源部
１３  反射部
１４  連結部
２０  撮影部
２１  接続部
２２  レンズ部
２３  カメラ部
２４  フード
２５  フランジ
２６  透明保護材
２７  カメラレンズ
２８  カメラ
２９  衝突防止フランジ
３０  ランス部
３１  挿入用ランス
３２  ランス支持台
３３  昇降部
３４  ランス延長パイプ
４０  異常判定部
５０  搬送駆動装置
５１  管台車
５２  台車制御装置
５３  支持ローラ
５４  退避ステーション
５５  検査ステーション
６０  搬送ライン
１００  管
１０１  孔
１０２  受口
５００  基準ピース
５０１  試験体
５０２  主貫通孔
５０３  試験用内面
５０４  内空間
５０５  周壁
５０６  開口部
５０７  擬似欠陥ピン
５０８  擬似欠陥形成面
５０９  欠陥
【図１】
2014190885.tif 000003
【図２】
2014190885.tif 000004
【図３】
2014190885.tif 000005
【図４】
2014190885.tif 000006
【図５】
2014190885.tif 000007
【図６】
2014190885.tif 000008
【図７】
2014190885.tif 000009
【図８】
2014190885.tif 000010
【図９】
2014190885.tif 000011
【図１０】
2014190885.tif 000012